(57)【特許請求の範囲】
【請求項１】
屋根の軒先に沿って軒樋が設けられ、軒先の隅部において曲り継手によって接続され、所定個所に設けられた集水器の端部に軒樋の端部が接続され、この集水器の下部に竪樋の上端部が接続されている雨樋システムにおいて、
施工現場にて切断された軒樋の切断端部側が集水器または曲り継手の端部と接続され、前記雨樋システム中の軒樋と軒樋を接続する箇所は、前記切断端部でない側の端面同士を突き合わせ、この突き合わせた軒樋の端部間に跨がるように、軒樋の内面に沿って樋継手が装着されて接着接続されており、
軒樋が、樋本体部の上端に耳部が形成され、この耳部の内側面に内方に開口した溝が形成されたものであり、樋継手が、外面形状が樋本体部の内面形状とほぼ合致する形状に形成された継手本体部と、この継手本体部の上端部に設けられた耳係止部とからなり、
継手本体部の前側壁の上部が、軒樋の前耳の下面に合致するように内側に屈曲されて受け面とされ、該受け面の最下端側に突起が継手本体部の長手方向に沿って一体に設けられ、該受け面のほぼ中央に長方形状の孔が穿孔されており、継手本体部が軒樋の端部内に嵌合接着された状態で、軒樋の前耳の溝に溜まる雨水が、前記受け面上を流れ、前記孔を通じて軒樋に流れ込むための、軒樋の前耳の下面部と、軒樋継手側の受け面および前側壁の上端で形成される排水溝を有することを特徴とする雨樋システム。
【発明の詳細な説明】
【０００１】
【発明の属する技術分野】
本発明は、建物の屋根に降った雨水を排水する雨樋システムに関する。
【０００２】
【従来の技術】
従来の雨樋システムとして、たとえば特公平８−３２４９号公報において、気温変化による軒樋の熱伸縮を吸収する伸縮吸収機構を備え、寄棟屋根に適用できる雨樋システムが開示されている。
【０００３】
具体的には、寄棟屋根の軒先に沿って軒樋が屋根全周に設けられ、軒先の隅角部において曲り継手によって接続され、所定個所に設けられた集水器内に軒樋の端部が差し込まれ、この集水器の下部にエルボおよび呼び樋を介して竪樋の上端部が接続され、この竪樋の下端部が地中に埋設された排水管の立ち上がり上端部に接続されている雨樋システムである。この場合、軒樋同士は外嵌合方式の継手を介して接着接続されている。
【０００４】
【発明が解決しようとする課題】
しかしながら、上記の雨樋システムの場合、軒樋同士は外嵌合方式の継手を介して接着接続されているため、軒樋と継手との接続部分外面に、継手の肉厚に等しい段差が現れるので、軒先の外観の見栄えが悪いという問題があった。特に、軒樋がたとえば実開平１−６８４３９号公報、実開平３−７６９３３号公報、実開平３−９５４２４号公報などに開示されているように、前側壁の方が後側壁よりも高くされるとともに、前側壁が屋根側に向かって湾曲面状とされたタイプの軒樋の場合、著しく軒先の外観の見栄えが悪くなる。
【０００５】
この軒先の外観の見栄えの問題を解消するために、たとえば特開平２−１６１０５６号公報において、合成樹脂製の軒樋を端面同士を突き合わせた状態で配設し、突き合わせた軒樋の端部間に跨がるように、軒樋の内面に沿って継手を装着した軒樋の接続構造が開示されている。つまり、内嵌合方式の継手を介して軒樋同士を接着接続するものである。
【０００６】
ところで、軒樋の配設施工の際には、軒樋の接続個所のどこかで、定尺の軒樋を所定の長さに切断した乱尺の軒樋を使用しなければならない。そして、この切断作業は施工現場にて所定の切断治具などを用いて行われることになる。その際、軒樋が斜め切断された場合、この斜め切断された端面を、内嵌合方式の継手にて接続される軒樋の端面と突き合わせると、その突き合わせ部に隙間が生じることになる。そのため、軒樋同士の接続部の外観の見栄えが非常に悪い。
【０００７】
特に、上記実開平３−７６９３３号公報にて開示されているように、軒樋が合成樹脂層内に金属製の帯状芯材がインサートされた帯状板体をたとえばベンダー加工などにより折曲して形成されたものである場合、軒樋の切断作業そのものが従来の硬質塩化ビニル樹脂製の軒樋に比べて困難であり、切断治具として特殊なものが必要となる。また、切断面にバリなどが生じやすく、このバリ除去作業もたいへんである。
【０００８】
本発明の目的は、軒樋同士の接続部の外面に段差部が生じず、軒先の見栄えが良好な雨樋システムを提供することである。
【０００９】
本発明の他の目的は、軒樋と樋継手との接続部からの雨水の漏れを防止できる軒樋システムを提供することである。
【００１０】
【課題を解決するための手段】
請求項１記載の本発明は、屋根の軒先に沿って軒樋が設けられ、軒先の隅部において曲り継手によって接続され、所定個所に設けられた集水器の端部に軒樋の端部が接続され、この集水器の下部に竪樋の上端部が接続されている雨樋システムにおいて、施工現場にて切断された軒樋の切断端部側が集水器または曲り継手の端部と接続され、前記雨樋システム中の軒樋と軒樋を接続する箇所は、前記切断端部でない側の端面同士を突き合わせ、この突き合わせた軒樋の端部間に跨がるように、軒樋の内面に沿って樋継手が装着されて接着接続されており、軒樋が、樋本体部の上端に耳部が形成され、この耳部の内側面に内方に開口した溝が形成されたものであり、樋継手が、外面形状が樋本体部の内面形状とほぼ合致する形状に形成された継手本体部と、この継手本体部の上端部に設けられた耳係止部とからなり、継手本体部の前側壁の上部が、軒樋の前耳の下面に合致するように内側に屈曲されて受け面とされ、該受け面の最下端側に突起が継手本体部の長手方向に沿って一体に設けられ、該受け面のほぼ中央に長方形状の孔が穿孔されており、継手本体部が軒樋の端部内に嵌合接着された状態で、軒樋の前耳の溝に溜まる雨水が、前記受け面上を流れ、前記孔を通じて軒樋に流れ込むための、軒樋の前耳の下面部と、軒樋継手側の受け面および前側壁の上端で形成される排水溝を有するものである。
【００１３】
本発明における軒樋、竪樋、集水器の材質は、硬質塩化ビニル樹脂、アクリル樹脂、ポリカーボネート樹脂、ＡＥＳ樹脂などの合成樹脂が使用できる。また、ガラス繊維や炭素繊維などから形成された芯材が合成樹脂にて被覆された複合材料からなるものであってもよい。また、本発明における曲り継手や樋継手の材質は、軒樋、竪樋、集水器の材質と同一であっても、異なるものであってもよい。さらに、樋継手や曲り継手の形状は適用される軒樋や竪樋の形状に応じて決めればよい。
【００１４】
請求項１記載の本発明では、雨樋システム中の軒樋と軒樋を接続する箇所は、切断端部でない側の端面同士を突き合わせ、この突き合わせた軒樋の端部間に跨がるように、軒樋の内面に沿って樋継手が装着されて接着接続されているので、軒樋同士の接続部の外面に段差部が生じず、軒先の見栄えが良好である。
【００１５】
また、所定の切断治具を用いて、施工現場にて切断された軒樋の切断端部側が集水器または曲り継手の端部と接続されているので、たとえば軒樋が少し斜め切断されたとしても、樋継手を介して接着接続される軒樋の端面同士が突き合わせられた軒樋の端面間には隙間が生じることはない。このため、軒樋同士の接続部の意匠的外観の見栄えが良好である。
【００１６】
また、軒樋が、樋本体部の上端に耳部が形成され、この耳部の内側面に内方に開口した溝が形成されており、樋継手が、外面形状が樋本体部の内面形状とほぼ合致する形状に形成された継手本体部と、この継手本体部の上端部に設けられた耳係止部とからなり、軒樋の前耳の下面部と、軒樋継手側の受け面および前側壁の上端で形成される排水溝を有するので、たとえば軒樋の接続施工の際に、隣接する軒樋同士の端面間に僅かに隙間が生じても、この隙間を通じて軒樋の外方に漏れる雨水を排水溝を通じて軒樋内に排水することができる。
【００１７】
【発明の実施の形態】
以下、本発明の実施の形態を図面に基づいて説明する。
図１は本発明の雨樋システムを示す分解斜視図、図２は図１の雨樋システムが適用される建物の屋根面を示す平面図、図３は図１の雨樋システムの軒先への取付け状態を一部省略して示す平面図、図４は図３のＸ−Ｘ線での拡大断面図である。
【００１８】
図１において、１は軒樋、２は軒樋継手、３は曲り継手、４は軒樋吊り具、５は樋集水器である軒チーズ、６は軒樋止まり、７は竪樋、７３は竪樋継手、７４は排水管カバー、７５は竪樋支持具である。
【００１９】
図２に示すように、建物の軒先の鼻隠し板８に沿って軒樋１が設けられ、軒先の出・入隅部において曲り継手３，３によって接続され、所定個所に設けられた軒チーズ５の両端部に軒樋１，１の端部が挿入接続されている。軒樋１，１同士の接続は、その端面同士が突き合わせた状態で配設され、この突き合わせた軒樋１，１の端部間に跨がるように、軒樋の内面に沿って軒樋継手２が装着されて接着接続されている。このようにして順次接続されて軒先に配設された軒樋１，１の両端は樋止まり６，６にて閉塞されている。なお、軒樋１は、鼻隠し板８に固定されている軒樋吊り具４にて支持されている。
【００２０】
軒チーズ５の下部に設けられている流出側接続部には、図１に示すように、９０度エルボ７１、呼び樋７２および９０度エルボ７１が順次接続され、この９０度エルボ７１の下端部に竪樋７の上端部が接着接続されている。竪樋７，７同士は竪樋継手７３を介して接着接続されている。竪樋７の複数個所は建物の外壁に固定された竪樋支持具７５にて挟持されている。そして、竪樋７の下端部外周には排水管カバー７４が装着され、この排水管カバー７４の下端部が、地中に埋設された排水管の立ち上がり管（図示せず）の上端部内に挿入されることで、本発明の雨樋システムが構成されている。
【００２１】
つぎに、上記雨樋システムを構成している各構成部材について説明する。
軒樋１は断面形状が角型の硬質塩化ビニル樹脂製のものであり、図５に示すように、平坦な底壁１１と、この底壁１１の両側部から立設された前側壁１２および後側壁１３とで溝形状の樋本体部１０が構成されている。前側壁１２は底壁１１から外側に向けて若干傾斜して形成され、途中部で段部１２１が前方に水平に延設して形成されており、後側壁１３は底壁１１に対してほぼ直角に形成されている。
【００２２】
前側壁１２の上端には前耳１４が形成されており、この前耳１４は樋内側に開口した溝１４１を有している。この溝１４１は断面形状がほぼＣ字状とされており、その開口部上縁には係止爪１４２が下向きに形成されている。後側壁１３の上端には後耳１５が形成されており、この後耳１５は内方に向けて突出された係止突起１５１を備えており、この係止突起１５１の隅部下面側には幅狭（約２．５ｍｍ）の溝１５２が形成されている。前耳１４の溝１４１および後耳１５の係止突起１５１は、軒樋１を後述の樋支持具４に取り付ける際の取付用溝および突起となる。
【００２３】
軒樋継手２は、上記軒樋１と同様に硬質塩化ビニル樹脂製のものであり、図６に示すように、その外面形状が樋本体部１０の内面形状とほぼ合致する形状に形成された溝形状の継手本体部２０と、この継手本体部２０の上端部に設けられた前耳係止部２４と後耳係止部２５とで構成されている。
【００２４】
継手本体部２０は溝形状のものであり、平坦な底壁２１と、この底壁２１の両側部から立設された前側壁２２および後側壁２３とで構成されている。前側壁２２は底壁２１から外側に向けて若干傾斜して形成され、途中部で段部２２１が前方に若干傾斜して延設して形成されている。後側壁２３は底壁２１に対してほぼ直角に形成されている。
【００２５】
前側壁２２の上部は、軒樋１の前耳１４の下面１４３に合致するように内側に屈曲されて受け面２２２とされている。この受け面２２２の最下端側には、高さ約０．５ｍｍの突起２２３が継手本体部２０の長手方向に沿って一体に設けられている。この突起２２３は軒樋１の前耳１４の溝１４１内に溜まった雨水を軒樋１内に排水するための排水溝Ｇを形成するためのものであり、その高さは０．５〜２ｍｍ程度あればよい。受け面２２２のほぼ中央には長方形状の孔２２４が穿孔されている。なお、２６は立ち上がり片であり、冬季の積雪荷重によって軒樋１の前耳１４と樋継手２の前耳係止部２４との係合が外れるの防止するものである。
【００２６】
曲り継手３（３ａ，３ｂ）は、図７に示すように、溝形状の９０度曲り継手本体３１と、この継手本体３１の両端部に設けられた接続部３２，３２とから構成されている。この接続部３２の内面形状は上記軒樋１の外面形状とほぼ合致する形状とされている。すなわち、図７（ｂ）に示すように、継手本体３１の前側壁の方が後側壁よりも高くなっている。接続部３２の奥部内周面には係止片３２１が設けられ、また、両側部上端には押さえ片３２２が設けられている。曲り継手３は硬質塩化ビニル樹脂製のものである。この場合の曲り継手３ａは出隅部にて用いられるものであるが、これとは別に、入隅部にて用いられる曲り継手３ｂもある。
【００２７】
軒樋吊り具４は、図８に示すように、取付部４１と支持部材４２とからなり、支持部材４２の両端には前耳保持部４３および後耳保持部４４が設けられている。樋吊具４はポリカーボネート樹脂製のものである。
【００２８】
軒チーズ５は、図１に示すように、溝形状の継手本体５１と、この継手本体５１のほぼ中央から下方に突設された流出側接続部５２とから構成されている。継手本体５１の両端部には軒樋接続部５１１が設けられている。軒樋接続部５１１の両側部上端には押さえ片５１２が設けられている。軒チーズ５は硬質塩化ビニル樹脂製のものである。
【００２９】
軒樋止まり６は、図１に示すように、板状の止まり本体６１と、この止まり本体６１の片側に延設された接続部６２とから構成されている。この接続部６２は軒樋１の外面形状に符合した内面形状を有している。軒樋止まり６は硬質塩化ビニル樹脂製のものである。なお、軒樋止まり６は右用６ａと左用６ｂの２種類がある。
【００３０】
つぎに、図２にて示す建物の軒先に、本発明の雨樋システムを施工する手順について説明する。
【００３１】
この場合、図２に示す曲り入隅部から施工を始める。
まず、建物の鼻隠し板８に、複数の軒樋吊り具４を配列し取付け位置を決めてから、軒樋吊り具４の取付部４１をネジなどの固定具で螺着して取り付ける。
【００３２】
つぎに、曲り入隅部の両側において、軒樋１ａ，１ｂを互いに直交するように、鼻隠し板８に軒樋吊り具４を利用して取り付ける。すなわち、軒樋１ａ，１ｂの後耳１５を各軒樋吊り具４の後耳保持部４４に嵌合して係止させ、後耳１５，１５を中心として軒樋１ａ，１ｂを時計周り方向に回転させ、軒樋１ａ，１ｂの前耳１４，１４を軒樋吊り具４の前耳保持部４３に嵌合して係止させる（図８（ａ）および図８（ｃ）を参照）。その際、軒樋１ａと軒樋１ｂの間に、入隅用の曲り継手３ｂを配置できるように隙間を開けておく。
【００３３】
そして、曲り継手３ｂの接続部３２，３２の内周面に接着剤を塗布し、この接着剤を塗布した曲り継手３ｂを手で支持して曲り入隅部に配置し、一方の接続部３２に軒樋１ａの端部を差し込む。つぎに、他方の接続部３２に軒樋１ｂの端部を差し込む。なお、曲り継手３ｂの接続部３２とは反対側に位置している軒樋１ａの端部外周面にはあらかじめ左用の軒樋止まり６ｂを接着している。
【００３４】
つぎに、軒樋１ｂの右側に軒樋１ｃを配置し、軒樋１ｂ，１ｃ同士の端面を当接させる。そして、軒樋継手２の樋本体部１０の両端部外周面に接着剤を塗布し、図８（ｂ）に示すように、この接着剤を塗布した軒樋継手２の後側壁２３の上端部に設けられた後耳係止部２５を軒樋１ｂ，１ｃの後耳１５，１５の隅部下面側に設けられた溝１５２内に嵌合して係止させる。
【００３５】
つぎに、図８（ｃ）に示すように、後耳１５，１５を中心として軒樋１ｂ，１ｃを時計周り方向に回転させ、軒樋１ｂ，１ｃの前耳１４，１４を軒樋吊り具４の前耳保持部４３および軒樋継手２の前耳係止部２４に嵌合して係止させる。
【００３６】
軒樋１ｃの右側に所定の間隔（約８５ｍｍ）を開けて軒樋１ｄを配置する。そして、相対向し合う軒樋１ｃ，１ｄ間に軒チーズ５を接続する。具体的には、軒チーズ５の前側の押さえ片５１２，５１２を軒樋１ｃ，１ｄの前耳１４，１４に引っ掛けて係止させ、前耳１４，１４を中心として軒チーズ５を反時計周り方向に回転させ、軒チーズ５の後側の押さえ片５１２，５１２を軒樋１ｃ，１ｄの後耳１５，１５に引っ掛けて係止させる。
【００３７】
この場合、軒樋１ｃが施工現場にて金鋸などにて、定尺の軒樋から所定長さに切断した乱尺のものであれば、この切断した側の端部を軒チーズ５の端部と接続する。つまり、上記軒樋１ｂの端面と当接される軒樋１ｃの端面は、軒樋の押出製造工程において定尺の長さに切断された端面である。
【００３８】
このように、施工現場にて切断した軒樋１ｃの切断端部側を軒チーズ５の端部と接続することで、たとえば施工現場にて軒樋１ｃが斜めに切断されても、軒樋継手２を介して接着接続される軒樋１ｂ，１ｃの端面同士が突き合わせられた軒樋の端面間には隙間が生じない。この結果、軒樋１ｂ，１ｃ同士の接続部の外観の見栄えは良好である。
【００３９】
なお、上記曲り継手３ｂの接続部３２に接続される軒樋１ｂが施工現場にて切断した乱尺のものである場合には、上記軒樋１ｃの場合と同様に、軒樋１ｂの切断した側の端部を曲り継手３ｂの接続部３２と接続すればよい。
【００４０】
つぎに、軒樋１ｄの右側端部に出隅用の曲り継手３ａの接続部３２を接続する。具体的には、曲り継手３ａの接続部３２，３２の内周面に接着剤を塗布し、この接着剤を塗布した曲り継手３ａを手で支持して曲り出隅部に配置し、左側の接続部３２に軒樋１ｄの右側端部を差し込む。この際、軒樋１ｄの左側端部が軒チーズ５の端部と接続されているので、軒チーズ５内で軒樋１ｄの左側端部をやり取りしながら、軒樋１ｄと曲り継手３ａの接着接続を行える。
【００４１】
つぎに、曲り継手３ａの右側の接続部３２に軒樋１ｅの左側端部を差し込んで接着接続する。同様にして、軒樋１ｅの右側に他の軒樋を軒樋継手２を介して接続する。この作業を繰り返して行うことで、図２に示すように、軒樋継手２または軒チーズ５を介して接続した軒樋１を軒先の鼻隠し板８の前方に軒樋吊り具４にて配設する。
【００４２】
このようにして、建物の軒先への軒樋１の配設が完了したのち、図２に示すように、軒チーズ５の流出側接続部５２に９０度エルボ７１、呼び樋７２および９０度エルボ７１を順次接続する。この９０度エルボ７１の下端部に竪樋７の上端部を接着接続し、この竪樋７の下端部に竪樋継手７３を介して別の竪樋７を接着接続する。竪樋７，７の何箇所かを建物の外壁に固定した竪樋支持具７５にて挟持して固定する。
【００４３】
そして、下部竪樋７の下端部外周に排水管カバー７４を装着し、この排水管カバー７４を下部竪樋７に沿って上方に摺動させる。排水管カバー７４の下端と、地中に埋設されている排水管の立ち上がり管の上端との間に隙間が生じたら、排水管カバー７４を下方に摺動させ、排水管カバー７４の下部内筒を排水管の立ち上がり管の上端部内に挿入することで、本発明の雨樋システムの施工が完了する。
【００４４】
上記実施例における軒樋継手２の場合、図６に示すように、継手本体部２０の前側壁２２の上部に受け面２２２が形成され、この受け面２２２の最下端側に突起２２３が設けられているので、軒樋１の端部内に嵌合接着された状態では、図１１に示すように、軒樋１側の下面１４３と軒樋継手２側の受け面２２２との間には排水溝Ｇが形成されることになる。この結果、軒樋１の前耳１４の溝１４１内に溜まる雨水は、排水溝Ｇを通じて受け面２２２上を流れ、受け面２２２のほぼ中央に穿孔されている孔２２４を通じて軒樋１内に流れ込む。
【００４５】
また、軒樋１と軒樋継手２を接続する際に、たとえば隣接する軒樋１，１同士の当接端面間に僅かに隙間が生じても、図１１に示すように、受け面２２２の最下端側に設けられた突起２２３が堰としての機能を備えているので、水上側の軒樋１の前耳１４の溝１４１から隙間に流れ出た雨水は突起２２３に沿って受け面２２２上を流れ、軒樋継手２の孔２２４を通じて軒樋１内に流れ込むことになる。このため、隣接する軒樋１，１同士の当接端面間に生じた隙間を通じて、雨水が軒樋１の外面側に漏れ出るのを防止することができる。たとえば寒冷地や積雪地において、上記隙間部分に生じていた氷柱の発生を防止することができる。
【００４６】
さらに、図１１に示すように、前耳１４の係止爪１４２の前面が立ち上がり片２６にて覆われているので、冬季の積雪荷重によって軒樋１の前耳１４と前耳係止部２４との係合が外れるのを防止できる。このため、軒樋１の破損や破壊を防止でき、耐積雪荷重性にすぐれている。
【００４７】
図１０は軒樋継手の変形例を示す斜視図である。
この軒樋継手２Ａの場合、図１０に示すように、継手本体部２０の前側壁２２の上部に形成されている受け面２２２が中央から両端に向かって下り勾配の傾斜面とされている。なお、上記図６の軒樋継手２と同一部分については、同一符号を付して説明を省略する。
【００４８】
この軒樋継手２Ａの場合、軒樋１の端部内に嵌合接着された状態では、図１２に示すように、軒樋１側の下面１４３と軒樋継手２側の受け面２２２との間には排水溝Ｇが形成される。この場合、排水溝Ｇの深さは受け面２２２の中央から両端に向かうにつれて徐々に深くなっている。そして、受け面２２２が中央から両端に向かって下り勾配の傾斜面とされているので、軒樋１の前耳１４の溝１４１内に溜まる雨水は受け面２２２のほぼ中央に流れ落ちた後、受け面２２２上を両側に流れ、受け面２２２の両端を通じて軒樋１内に流れ込む。
【００４９】
また、軒樋１と軒樋継手２Ａを接続する際に、たとえば隣接する軒樋１，１同士の当接端面間に僅かに隙間が生じても、図１２に示すように、受け面２２２の最下端側に設けられた突起２２３が堰としての機能を備えているので、水上側の軒樋１の前耳１４の溝１４１から隙間に流れ出た雨水は突起２２３に沿って受け面２２２上を両側に流れ、受け面２２２の両端を通じて軒樋１内に流れ込むことになる。このため、隣接する軒樋１，１同士の当接端面間に生じた隙間を通じて、雨水が軒樋１の外面側に漏れ出るのを防止できる。
【００５０】
図１３は軒樋継手の他の変形例を示す斜視図である。
この軒樋継手２Ｂの場合、図１３に示すように、受け面２２２の下方に位置している前側壁２２の途中部に継手本体部２０内に張り出した倒置Ｊ字状の窪み２２ａを設けた以外は、基本的に上記図６の軒樋継手２とほぼ同一である。図６の軒樋継手２と同一部分については、同一符号を付して説明を省略する。
【００５１】
この軒樋継手２Ｂが適用される軒樋は図１４に示すようなものである。この軒樋１Ａは、前側壁１２の途中部に樋本体部１０内に張り出した倒置Ｊ字状の窪み１２ａを設けた以外は、基本的に上記図５の軒樋１とほぼ同一である。図５の実施例の軒樋１と同一部分については、同一符号を付して説明を省略する。
【００５２】
【発明の効果】
請求項１記載の本発明においては、雨樋システム中の軒樋と軒樋を接続する箇所は、切断端部でない側の端面同士を突き合わせ、この突き合わせた軒樋の端部間に跨がるように、軒樋の内面に沿って樋継手が装着されて接着接続されているので、軒樋同士の接続部の外面に段差部が生じず、軒先の見栄えが良好である。
【００５３】
また、所定の切断治具を用いて、施工現場にて切断された軒樋の切断端部側が集水器または曲り継手の端部と接続されているので、たとえば軒樋が少し斜め切断されたとしても、樋継手を介して接着接続される軒樋の端面同士が突き合わせられた軒樋の端面間には隙間が生じることはない。このため、軒樋同士の接続部の意匠的外観の見栄えが良好である。
【００５４】
また、軒樋が、樋本体部の上端に耳部が形成され、この耳部の内側面に内方に開口した溝が形成されており、樋継手が、外面形状が樋本体部の内面形状とほぼ合致する形状に形成された継手本体部と、この継手本体部の上端部に設けられた耳係止部とからなり、軒樋の前耳の下面部と、軒樋継手側の受け面および前側壁の上端で形成される排水溝を有するので、軒樋の接続施工の際に、隣接する軒樋同士の端面間に僅かに隙間が生じても、この隙間を通じて軒樋の外方に漏れる雨水を排水溝を通じて軒樋内に排水することができる。
【図面の簡単な説明】
【図１】本発明の雨樋システムを示す分解斜視図である。
【図２】図１の雨樋システムが適用される建物の屋根面を示す平面図である。
【図３】図１の雨樋システムの軒先への取付状態を一部省略して示す平面図である。
【図４】図３のＸ−Ｘ線での拡大断面図である。
【図５】図１における軒樋を示す正面図である。
【図６】図１における軒樋継手を示す斜視図である。
【図７】図１における出隅用の曲り継手を示す平面図と正面図である。
【図８】軒樋と軒樋継手の接続方法を示す説明図である。
【図９】軒樋と軒樋継手の接続状態を示す説明図である。
【図１０】軒樋継手の変形例を示す斜視図である。
【図１１】図９の要部を示す拡大断面図である。
【図１２】図１０の軒樋継手の使用状態を示す説明図である。
【図１３】軒樋継手の他の変形例を示す斜視図である。
【図１４】図１３の軒樋継手が適用される軒樋を示す正面図である。
【符号の説明】
１  軒樋
１０  樋本体部
１２  前側壁
１４  前耳
２  軒樋継手
２０  継手本体部
２４  前耳係止部
３，３ａ，３ｂ  曲り継手
４  軒樋吊り具
４１  取付部
４２  支持部材
５  軒チーズ（樋集水器）
５１  継手本体
５１１  軒樋接続部
５２  流出側接続部
６  軒樋止まり
７  竪樋
８  鼻隠し板
Ｇ  排水溝
【図１】
0004996022.tif 000002
【図２】
0004996022.tif 000003
【図３】
0004996022.tif 000004
【図４】
0004996022.tif 000005
【図５】
0004996022.tif 000006
【図６】
0004996022.tif 000007
【図７】
0004996022.tif 000008
【図８】
0004996022.tif 000009
【図９】
0004996022.tif 000010
【図１０】
0004996022.tif 000011
【図１１】
0004996022.tif 000012
【図１２】
0004996022.tif 000013
【図１３】
0004996022.tif 000014
【図１４】
0004996022.tif 000015